(57)【要約】【課題】  ドラフトチャンバーへの空気の供給をドラフトチャンバーの前面開口の全域から均等に行なうようにして、ドラフトチャンバー内の排気分布を均一にさせたドラフトチャンバー吸気設備を提供すること。【解決手段】  ドラフトチャンバー１が設置されている室の天井２に、前記ドラフトチャンバー１の前面開口１ａと平行にフィルタ取付け枠５を配設するとともに、該フィルタ取付け枠５を覆うようにフィルタ６を張設してダクト３を構成し、ブロアー８によって前記ダクト３に外気を取り込み、その外気をフィルタ６を介して室内に供給するドラフトチャンバー吸気設備とした。【選択図】        図１
2005098590.tif 000002
【特許請求の範囲】
【請求項１】
ドラフトチャンバーが設置されている室の天井に、前記ドラフトチャンバーの前面開口と平行にフィルタ取付け枠を配設するとともに、該フィルタ取付け枠を覆うようにフィルタを張設してダクトを構成し、ブロアーによって前記ダクトに外気を取り込み、その外気をフィルタを介して室内に供給することを特徴とするドラフトチャンバー吸気設備。
【請求項２】
前記フィルタ取付け枠を、ワイヤを格子状に配置させ、長手方向に対して垂直な断面をＣ字状に構成し、該Ｃ字状の両側部を天井に係止させたことを特徴とする請求項に１に記載のドラフトチャンバー吸気設備。
【請求項３】
長手方向に対して垂直な断面がコ字状に形成された２本のレールを、それぞれのレールの開口を互いに反対方向に向け、かつ間隔をもって天井に配設し、それらの開口に、前記フィルタ取付け枠の両側部をそれぞれ挿嵌させて、フィルタ取付け枠を天井に係止させたことを特徴とする請求項２に記載のドラフトチャンバー吸気設備。
【請求項４】
前記フィルタ取付け枠の両側部に、前記フィルタの側部を巻き込んで、フィルタを前記レールにに取付けたことを特徴とする請求項３に記載のドラフトチャンバー吸気設備。
【発明の詳細な説明】
【技術分野】
【０００１】
本発明は、ドラフトチャンバー吸気設備に関するもので、詳しくは、ドラフトチャンバーに供給する外気の空調設備に関するものである。
【背景技術】
【０００２】
ドラフトチャンバーは、室内に設置され、該ドラフトチャンバー内の空気は、排気ダクトを介して室外に排気される。ドラフトチャンバー内の空気が排気されると、当然に排気量に見合った外気が空調器等によって室内に取り入れられ、そして、その空気がドラフトチャンバーに供給される（例えば、特許文献１参照）。
【０００３】
【特許文献１】特開平９−２０１５４０号公報（図１）
【発明の開示】
【発明が解決しようとする課題】
【０００４】
ところで、上記特許文献１に開示されているように、空調機の送風口は、天井の一部に開口されているため、該開口からドラフトチャンバーの前面開口部に至る空気流が形成される。この空気流は、断面積が比較的小さな層流になるため、ドラフトチャンバーの前面開口から流れ込む空気の分布が一様にならず、その結果として、ドラフトチャンバー内において排出される空気の分布が偏る虞がある。極端な場合には、ドラフトチャンバー内のある部分の空気は、そこに留まって排気されない。
【０００５】
本発明は、上記実情に鑑みて、ドラフトチャンバーへの空気の供給をドラフトチャンバーの前面開口の全域から均等に行なうようにして、ドラフトチャンバー内の排気分布を均一にさせたドラフトチャンバー吸気設備を提供することを目的とする。
【課題を解決するための手段】
【０００６】
請求項１のドラフトチャンバー吸気設備では、ドラフトチャンバーが設置されている室の天井に、前記ドラフトチャンバーの前面開口と平行にフィルタ取付け枠を配設するとともに、該フィルタ取付け枠を覆うようにフィルタを張設してダクトを構成し、ブロアーによって前記ダクトに外気を取り込み、その外気をフィルタを介して室内に供給することを特徴としている。
【０００７】
請求項２のドラフトチャンバー吸気設備では、請求項１の発明において、前記フィルタ取付け枠を、ワイヤを格子状に配置させ、長手方向に対して垂直な断面をＣ字状に構成し、該Ｃ字状の両側部を天井に係止させたことを特徴としている。
【０００８】
請求項３のドラフトチャンバー吸気設備では、請求項２の発明において、長手方向に対して垂直な断面がコ字状に形成された２本のレールを、それぞれのレールの開口を互いに反対方向に向け、かつ間隔をもって天井に配設し、それらの開口に、前記フィルタ取付け枠の両側部をそれぞれ挿嵌させて、フィルタ取付け枠を天井に係止させたことを特徴としている。
【０００９】
請求項４のドラフトチャンバー吸気設備では、請求項３の発明において、前記フィルタ取付け枠の両側部に、前記フィルタの側部を巻き込んで、フィルタを前記レールに取付けたことを特徴としている。
【発明の効果】
【００１０】
請求項１の発明によれば、ダクトのフィルタ全面から室内に空気が供給されるので、ドラフトチャンバーの前面開口全体から均一な空気が吸入される。したがって、ドラフトチャンバー内の空気は内部全域から均等に排気される。
さらに、フィルタを介して外気が室内に供給されるので、室内が清浄な状態に維持される。
【００１１】
請求項２の発明によれば、ダクトは格子状のフィルタ取付け枠と、それを覆うフィルタによって構成されているので、構造が単純で安価になり、しかも軽量になる。
【００１２】
請求項３の発明によれば、フィルタ取付け枠のＣ字状両側端部をコ字状のレールに係合させることによってダクトを天井に構成できるので、フィルタを含むフィルタ取付け枠の取付け，取外しが簡単になり、ダクトの交換作業等が容易になる。
【００１３】
請求項４の発明によれば、フィルタの端部をフィルタ取付け枠の端部に巻き込むことによってフィルタを取付けるので、フィルタを取付けるための特別な部品を必要とせず、しかもフィルタの取付けが簡単になる。
【発明を実施するための最良の形態】
【００１４】
以下に、本発明に係るドラフトチャンバー吸気設備を、図面を参照しながら説明する。
図１は本発明に係るドラフトチャンバー吸気設備を示した斜視図，図２は図１におけるダクトの分解斜視図、図３はダクトの断面図である。
【００１５】
図示したドラフトチャンバー吸気設備では、図１に示したように、複数台のドラフトチャンバー１が並べて設置され、それらのドラフトチャンバー１の前部開口１ａの上方に位置する天井２に、少なくともドラフトチャンバー１の幅に対応する長さのダクト３が設置されている。
【００１６】
ダクト３は、図２に示したように、天井２に間隔をもって平行に設置された２本のレール４と、該レール４に端部５ａ，５ａを係止させるフィルタ取付け枠５と、該フィルタ取付け枠５に取付けるフィルタ６と、ダクト３の端部を塞ぐカバー７とによって構成されている。
【００１７】
レール４は、その長手方向に対して垂直な断面がコ字状を成し、該コ字状開口部４ａが互いに反対方向を向くようにして、ネジ，釘，接着剤等によって天井２に設置される。
【００１８】
フィルタ取付け枠５は、鋼製ワイヤを溶接等によって格子状に組付けたもので、その長手方向に対して垂直な断面が略Ｃ字状に形成されている。
【００１９】
フィルタ６は、紙，合成紙等によって板（帯）状に形成されたもので、適宜な剛性を有している。
【００２０】
カバー７は、フィルタ取付け枠５の端部の形状とほぼ同じ形状を成す端板７ａと、該端板７ａの周縁を囲むようにて配設された周板７ｂとによって形成され、周板７ｂの端縁によって開口７ｃが画成されている。
【００２１】
そして、フィルタ６は、図３に示したように、その側端部６ａ，６ａをフィルタ取付け枠５の側端部５ａ，５ａに巻き込み、そのままフィルタ取付け枠５の側端部５ａ，５ａをレール４，４の開口４ａ，４ａに係合させることによって、天井２に設置される。
【００２２】
このようにして設置されたフィルタ６およびフィルタ取付け枠５の端部には、カバー７が被せられ、ダクト３の一端部開口が閉塞される。
このダクト３は、その他端部開口に、図１に示したように、ブロア８が接続され、該ブロア８を介して室外に開放される。
【００２３】
このように構成されたドラフトチャンバー設備では、ブロア８によって外気がダクト３に取り込まれ、その外気は、フィルタ６を経て、その全面から各ドラフトチャンバ１の前面開口１ａの上方から室内に供給される。
【００２４】
以上、本発明に係るドラフトチャンバー吸気設備の一実施の形態を説明したが、本発明は、何ら既述の実施の形態に限定されず、特許請求の範囲に記載した本発明の技術的思想の範囲内において、種々の変形及び変更が可能であることは当然である。
【図面の簡単な説明】
【００２５】
【図１】本発明に係るドラフトチャンバー吸気設備の一例を示した斜視図である。
【図２】図１におけるダクトの分解斜視図である。
【図３】図１におけるダクトの断面図である。
【符号の説明】
【００２６】
１    ドラフトチャンバー
１ａ  前面開口
２    天井
３    送風ダクト
４    レール
４ａ  開口
５    フィルタ取付け枠
５ａ  側端部
６    フィルタ
６ａ  側端部
７    カバー
７ａ  端板
７ｂ  周板
７ｃ  開口
８    ブロア
【図１】
2005098590.tif 000003
【図２】
2005098590.tif 000004
【図３】
2005098590.tif 000005